(57)【要約】注射器（１１０）は、ロッド組立体（１１７）を収容するバレル（１１１）を備えている。注射針（１２４）を収容した注射針台座（１２１）がバレル（１１１）の前方端に取りつけられている。台座（１２１）は、解放可能にバレル（１１１）に取りつけられている。ロッド組立体（１１７）は中空のロッド（１１８）を含み、ロッド（１１８）はその前方端にグリッパ装置（１３５）を備え、グリッパ装置（１３５）は、台座（１２１）がバレル（１１１）から解放され、装置（１３５）がロッド（１１８）から解放されたときに台座（１２１）及び装置（１３５）がばね（１３８）によってロッド（１１８）内へ推進されるように、台座（１２１）と係合する。【選択図】図２３
2007514486.tif 000002
【特許請求の範囲】
【請求項１】
縦軸と、注射針を有する前方端と、後方端とを備えた注射器であって、
前記注射器は、
円柱形状のボアが設けられたバレルと、
前記注射針が前方に延びるように固定された注射針台座と、
前記ボアに摺動可能に収容され、注射液を収容する体積が可変のチャンバを前記ボアと協同して提供するように前記ボアと密着接触するピストンロッド組立体と
を含み、
前記組立体は、
使用者が様々な前記体積のために前記組立体を移動できるように前記バレルの中から後方に延びる中空のロッドであって、ロッドの前方開口から後方へ延びる空洞を備えたロッドと、
前記前方開口に取りつけられたグリッパ装置と
を含み、
前記注射器は、前記装置及び前記ロッドの間を延びて前記装置を前記ロッドに固定して保持し、且つ、本グリッパ保持部が前記前方端において前方に移動するときに前記装置が前記空洞内へ移動するように前記装置を解放するための移動が可能なグリッパ保持部を含み、
前記チャンバと続く前記注射針を備えた前記台座は、前記チャンバの体積が減少すると前記注射液が強制的に前記注射針を通過するように、前記チャンバを閉じ、
前記台座は、
隣接する前記前方端が前記装置を解放するときであって前記保持部が前記装置を解放する前に前記グリッパ装置と係合し、前記装置と係合するときに前記装置に固定される物体と、
前記物体及び前記装置を前記空洞内に駆り立てる手段と、
前記台座と前記装置との係合の後に、前記ピストンロッドの前方への移動により縦方向前方に移動し、前記台座保持部を半径方向内向きに動かして前記台座を開放させる作動部材と
を含み、
前記台座は、前記台座を前記バレルに固定し、且つ、前記台座が前記注射針とともに、前記装置とともに前記空洞内へ移動するするように前記台座を開放する操作が可能な台座保持部を含み、前記台座保持部は、前記ピストンロッドの前方への移動によって保持位置から開放位置へと半径方向内向きに動かされる
注射器。
【請求項２】
請求項１の注射器であって、
前記駆り立てる手段は、前記空洞が大気より低い内部圧力に保たれ得るように、前記装置が前記物体と係合して前記装置及び前記台座が解放されたときに前記装置台座及び前記注射針が前記空洞内へ移動されるように、前記開口を閉じる前記グリッパ装置を含む
注射器。
【請求項３】
請求項１の注射器であって、
前記駆り立てる手段は、前記台座と係合して前記台座及び前記装置を前記空洞内へ付勢するばねを含む
注射器。
【請求項４】
請求項１乃至３のいずれか１項に記載の注射器であって、
前記グリッパ保持部は、前記前方端において前記バレルの一部と係合して前記装置を解放する
注射器。
【請求項５】
請求項１乃至４のいずれか１項に記載の注射器であって、
前記グリッパ保持部は、注射のストロークが完了すると前記ロッドを前記バレルに取りつけて前記ロッドの後方への移動を防ぐ係合部を備える
注射器。
【請求項６】
請求項１乃至５のいずれか１項に記載の注射器であって、
前記台座は、後方に延びる突出部を含み、
前記グリッパ装置は、前記突出部を収容する空洞を含み、
前記突出部及び前記グリッパ装置は、前記突出部を前記空洞内に拘束して位置決めするために係合する
注射器。
【請求項７】
請求項６の注射器であって、
前記グリッパ装置は前記空洞へ延びるネックを含み、
前記突出部は前記ネックを通過し、
前記突出部は、前記突出部が前記ネックを通過するときに縮み、且つ、前記突出部を前記空洞内に拘束して位置決めするために広がる拡張部材を含む
注射器。
【請求項８】
請求項１乃至７のいずれか１項に記載の注射器であって、
前記台座は、前記台座を前記バレルに密着接続するための前方部分を含む
注射器。
【請求項９】
請求項８の注射器であって、
前記注射器は、前記台座及び前記前方部分を収容するキャップを前記バレルの前方端において含む
注射器。
【請求項１０】
請求項９の注射器であって、
前記キャップは、前記台座を前記ロッドの空洞内へ駆り立てるために前記台座に空気圧を作用させるように、前記キャップに空気を入り込ませる通路を少なくとも一つ含む
注射器
【請求項１１】
請求項１乃至１０のいずれか１項に記載の注射器であって、
前記作動部材は、前記台座を取り囲むスリーブである
注射器。
【請求項１２】
請求項１１の注射器であって、
前記台座保持部は、複数の指状部を含み、
前記複数の指状部は、弾性により外向きに付勢され、且つ、前記作動部材の傾斜面と係合して半径方向内向きに動かされて前記台座を開放する
注射器。
【請求項１３】
請求項１２の注射器であって、
前記キャップは、前記複数の指状部と係合する前方を向く隣接面を備える
注射器。
【請求項１４】
請求項３及び８につけられた請求項１３の注射器であって、
前記ばねは、前記キャップ内に配置され、前記台座及び前記装置を前記空洞内へ付勢するために前記キャップ及び前記台座の間で圧縮されるように前記キャップ及び前記台座と係合する
注射器。
【請求項１５】
縦軸と、注射針が取りつけられる前方端と、後方端とを備えた注射器であって、
前記注射器は、
円柱形状のボアが設けられたバレルと、
前記注射針が前方に延びるように取りつけられ、前記前方端に存在して注射液を注射針へ届ける注射針台座と、
前記ボアに摺動可能に収容され、注射液を収容する体積が可変のチャンバを前記ボアと協同して提供するように前記ボアと密着接触するピストンロッド組立体と
を含み、
前記チャンバは、前記ロッド組立体及び前記前方端の間に配置され、
前記ピストンロッド組立体は、
使用者が前記体積を変えるために前記組立体を移動できるように前記バレルの中から後方に延びるピストンロッドであって、ピストンロッドの前方開口から後方へ延びる空洞を備えたピストンロッドと、
前記前方開口に取りつけられ、前記前方端の方へ突き出した軸部を備えた、グリッパ装置と、
前記ロッドの中に配置されて前記ロッド及び前記装置に取りつけられ、前記装置を前記空洞内へ付勢する弾性部材と、
前記装置及び前記ロッドの間を延びて前記装置を前記ロッドに固定して保持し、且つ、本グリッパ保持部が前記前方端において前方に移動するときに前記装置が前記空洞内へ移動するように前記装置を解放するための操作が可能なグリッパ保持部と
を含み、
前記台座は、前記チャンバの体積が減少すると前記注射液が強制的に前記注射針を通過するように、前記チャンバを閉じ、
前記台座は、
隣接する前記前方端が前記装置を解放するときであって前記保持部が前記装置を解放する前に前記グリッパ装置と係合し、前記装置と係合するときに前記装置に固定され、本物体を前記グリッパ装置に固定するために前記軸部が突き出す通路を備えた物体と、
前記台座を前記バレルに固定し、且つ、前記注射針が前記台座に取りつけられたときに前記台座が前記注射針とともに、前記装置とともに前記空洞内へ移動するように前記台座を開放する操作が可能な台座保持部と
を含み、
前記台座保持部は、前記ピストンロッドの前方への移動によって保持位置から開放位置へと前記軸に対して内向きに動かされ、
前記注射器は、前記台座と前記装置との係合の後に、前記ピストンロッドの前方への移動により縦方向前方に移動し、前記台座保持部を内向きに動かして前記台座を開放させる作動部材を含む
注射器。
【請求項１６】
請求項１５の注射器であって、
前記弾性手段は前記装置を前記空洞内へ付勢するばねである
注射器。
【請求項１７】
請求項１６の注射器であって、
前記ばねは、圧縮されて前記装置を前記空洞内へ付勢する
注射器。
【請求項１８】
請求項１６の注射器であって、
前記ばねは、前記空洞内の前記装置の方へ引っ張られる
注射器。
【請求項１９】
請求項１８の注射器であって、
前記ばねは、前記装置の後方部分及び前記プランジャの後方部分の間で延びる
注射器。
【請求項２０】
請求項１７の注射器であって、
前記ばねは、前記装置の後方部分及び前記ロッドの前方部分の間で延びる
注射器。
【請求項２１】
請求項１５又は１９の注射器であって、
前記作動部材は、前記ロッド組立体の部分である
注射器。
【請求項２２】
請求項２１の注射器であって、
前記作動部材は、前記ロッドに固定される
注射器。
【請求項２３】
請求項１５乃至２２のいずれか１項に記載の注射器であって、
前記台座は、前記台座を前記バレルに密着接続する前方部分を含む
注射器。
【請求項２４】
請求項１５乃至２３のいずれか１項に記載の注射器であって、
前記作動部材は、前記軸部を取り囲むスリーブである
注射器。
【請求項２５】
請求項１５乃至２４のいずれか１項に記載の注射器であって、
前記台座保持部は、弾性により前記軸に対して外方向に付勢され、且つ、前記軸に対して内方向に動いて前記台座を開放する
注射器。
【請求項２６】
請求項１５乃至２５のいずれか１項に記載の注射器であって、
前記台座は、前記軸部が前記台座内へ突き出したときに前記軸部と係合する掛けがねを含む
注射器。
【請求項２７】
請求項２６の注射器であって、
前記軸部は、前記掛けがねと係合する広がった前方末端を備える
注射器。
【請求項２８】
請求項１５乃至２７のいずれか１項に記載の注射器であって、
前記グリッパ保持部は、前記軸に関して内向きに動かされて前記装置を解放する
注射器。
【請求項２９】
請求項１５乃至２８のいずれか１項に記載の注射器であって、
前記グリッパ保持部は、前記バレルと係合して前記軸に関して内向きに動かされる
注射器。
【請求項３０】
請求項２４又は２９の注射器であって、
前記グリッパ保持部は、前記バレルによって弾性変形されて前記軸に関する内向きに動かされるサークリップである
注射器。
【請求項３１】
請求項１５乃至３０のいずれか１項に記載の注射器であって、
前記グリッパ装置は、前記ロッドの内向きに突き出し、前記台座と係合する前方位置と前記台座とともに前記ロッド内に引き戻された位置との間の移動のために前記ロッドにより摺動可能に案内される
注射器。
【発明の詳細な説明】
【技術分野】
【０００１】
本発明は、皮下注射器に関し、特に使用後に注射針を注射器内に引き戻す皮下注射器に関する。
【背景技術】
【０００２】
鋭利な医療器具を安全に処分することは、医師や看護士といった医療職に従事する者にとって最重要の関心事である。例えば、注射針を安全に処分することが特に問題となる。事故により刺した結果、医療職に従事する者が後天性免疫不全症候群や肝炎といった重病に接触していまうことがある。
【０００３】
注射針の事故で傷害を負うことを抑制するため、使用後に注射針を注射器内に引き込むことを含む多様な方法が提案されている。このような設計は、国際公開公報ＷＯ９２／１８１８６号、ＷＯ９１／１０４６１号及びＷＯ０１／１７５９４号に記述され、同様に、米国特許公報第５，０００，７３６号及び第５，１２５，８９８号に記述されている。
【０００４】
使用後に注射針を注射器内に引き込むことが望ましいが、そのような構造はしばしば複雑であり製造が困難である。上述した特許公報に記載された装置は、費用や製造の困難さ、一部の例では注射器胴部の中へ注射針を引き戻すための注射器内の機構の信頼性、を含む多くの不利な点を抱えている。
【０００５】
より詳細には、上述した特許公報に係る二つの装置においては、中空のプランジャ内を減圧することで注射針をプランジャ内に引き込んでいる。
【特許文献１】国際公開公報ＷＯ９２／１８１８６号
【特許文献２】国際公開公報ＷＯ９１／１０４６１号
【特許文献３】国際公開公報ＷＯ０１／１７５９４号
【特許文献４】米国特許公報第５，０００，７３６号
【特許文献５】米国特許公報第５，１２５，８９８号
【発明の開示】
【発明が解決しようとする課題】
【０００６】
本発明は、上記不利な点の少なくとも一つを克服すること又は実質的に改善することを目的とする。
【課題を解決するための手段】
【０００７】
ここに開示される注射器は、縦軸と、注射針を有する前方端と、後方端とを備え、前記注射器は、円柱形状のボアが設けられたバレルと、前記注射針が前方に延びるように固定された注射針台座と、前記ボアに摺動可能に収容され、注射液を収容する体積が可変のチャンバを前記ボアと協同して提供するように前記ボアと密着接触するピストンロッド組立体とを含み、前記組立体は、使用者が様々な前記体積のために前記組立体を移動できるように前記バレルの中から後方に延びる中空のロッドであって、ロッドの前方開口から後方へ延びる空洞を備えたロッドと、前記前方開口に取りつけられたグリッパ装置とを含み、前記注射器は、前記装置及び前記ロッドの間を延びて前記装置を前記ロッドに固定して保持し、且つ、本グリッパ保持部が前記前方端において前方に移動するときに前記装置が前記空洞内へ移動するように前記装置を解放するための移動が可能なグリッパ保持部を含み、前記チャンバと続く前記注射針を備えた前記台座は、前記チャンバの体積が減少すると前記注射液が強制的に前記注射針を通過するように、前記チャンバを閉じ、前記台座は、隣接する前記前方端が前記装置を解放するときであって前記保持部が前記装置を解放する前に前記グリッパ装置と係合し、前記装置と係合するときに前記装置に固定される物体と、前記物体及び前記装置を前記空洞内に駆り立てる手段と、前記台座と前記装置との係合の後に、前記ピストンロッドの前方への移動により縦方向前方に移動し、前記台座保持部を半径方向内向きに動かして前記台座を開放させる作動部材とを含み、前記台座は、前記台座を前記バレルに固定し、且つ、前記台座が前記注射針とともに、前記装置とともに前記空洞内へ移動するするように前記台座を開放する操作が可能な台座保持部を含み、前記台座保持部は、前記ピストンロッドの前方への移動によって保持位置から開放位置へと半径方向内向きに動かされる。
【０００８】
好ましくは、前記駆り立てる手段は、前記空洞が大気より低い内部圧力に保たれ得るように、前記装置が前記物体と係合して前記装置及び前記台座が解放されたときに前記装置台座及び前記注射針が前記空洞内へ移動されるように、前記開口を閉じる前記グリッパ装置を含む。
【０００９】
他の選択肢としての好ましい形態においては、前記駆り立てる手段は、前記台座と係合して前記台座及び前記装置を前記空洞内へ付勢するばねを含む。
【００１０】
好ましくは、前記グリッパ保持部は、前記前方端において前記バレルの一部と係合して前記装置を解放する。
【００１１】
好ましくは、前記グリッパ保持部は、注射のストロークが完了すると前記ロッドを前記バレルに取りつけて前記ロッドの後方への移動を防ぐ係合部を備える。
【００１２】
好ましくは、前記台座は、後方に延びる突出部を含み、前記グリッパ装置は、前記突出部を収容する空洞を含み、前記突出部及び前記グリッパ装置は、前記突出部を前記空洞内に拘束して位置決めするために係合する。
【００１３】
好ましくは、前記グリッパ装置は前記空洞へ延びるネックを含み、前記突出部は前記ネックを通過し、前記突出部は、前記突出部が前記ネックを通過するときに縮み、且つ、前記突出部を前記空洞内に拘束して位置決めするために広がる拡張部材を含む。
【００１４】
好ましくは、前記台座は、前記台座を前記バレルに密着接続するための前方部分を含む。
【００１５】
好ましくは、前記注射器は、前記台座及び前記前方部分を収容するキャップを前記バレルの前方端において含む。
【００１６】
好ましくは、前記キャップは、前記台座を前記ロッドの空洞内へ駆り立てるために前記台座に空気圧を作用させるように、前記キャップに空気を入り込ませる通路を少なくとも一つ含む。
【００１７】
好ましくは、前記作動部材は、前記台座を取り囲むスリーブである。
【００１８】
好ましくは、前記台座保持部は、複数の指状部を含み、前記複数の指状部は、弾性により外向きに付勢され、且つ、前記作動部材の傾斜面と係合して半径方向内向きに動かされて前記台座を開放する。
【００１９】
好ましくは、前記キャップは、前記複数の指状部と係合する前方を向く隣接面を備える。
【００２０】
好ましくは、前記ばねは、前記キャップ内に配置され、前記台座及び前記装置を前記空洞内へ付勢するために前記キャップ及び前記台座の間で圧縮されるように前記キャップ及び前記台座と係合する。
【００２１】
ここに開示される注射器は、縦軸と、注射針が取りつけられる前方端と、後方端とを備え、前記注射器は、円柱形状のボアが設けられたバレルと、前記注射針が前方に延びるように取りつけられ、前記前方端に存在して注射液を注射針へ届ける注射針台座と、前記ボアに摺動可能に収容され、注射液を収容する体積が可変のチャンバを前記ボアと協同して提供するように前記ボアと密着接触するピストンロッド組立体とを含み、前記チャンバは、前記ロッド組立体及び前記前方端の間に配置され、前記ピストンロッド組立体は、使用者が前記体積を変えるために前記組立体を移動できるように前記バレルの中から後方に延びるピストンロッドであって、ピストンロッドの前方開口から後方へ延びる空洞を備えたピストンロッドと、前記前方開口に取りつけられ、前記前方端の方へ突き出した軸部を備えた、グリッパ装置と、前記ロッドの中に配置されて前記ロッド及び前記装置に取りつけられ、前記装置を前記空洞内へ付勢する弾性部材と、前記装置及び前記ロッドの間を延びて前記装置を前記ロッドに固定して保持し、且つ、本グリッパ保持部が前記前方端において前方に移動するときに前記装置が前記空洞内へ移動するように前記装置を解放するための操作が可能なグリッパ保持部とを含み、前記台座は、前記チャンバの体積が減少すると前記注射液が強制的に前記注射針を通過するように、前記チャンバを閉じ、前記台座は、隣接する前記前方端が前記装置を解放するときであって前記保持部が前記装置を解放する前に前記グリッパ装置と係合し、前記装置と係合するときに前記装置に固定され、本物体を前記グリッパ装置に固定するために前記軸部が突き出す通路を備えた物体と、前記台座を前記バレルに固定し、且つ、前記注射針が前記台座に取りつけられたときに前記台座が前記注射針とともに、前記装置とともに前記空洞内へ移動するように前記台座を開放する操作が可能な台座保持部とを含み、前記台座保持部は、前記ピストンロッドの前方への移動によって保持位置から開放位置へと前記軸に対して内向きに動かされ、前記注射器は、前記台座と前記装置との係合の後に、前記ピストンロッドの前方への移動により縦方向前方に移動し、前記台座保持部を内向きに動かして前記台座を開放させる作動部材を含む。
【００２２】
好ましくは、前記弾性手段は前記装置を前記空洞内へ付勢するばねである。
【００２３】
好ましくは、前記ばねは、圧縮されて前記装置を前記空洞内へ付勢する。
【００２４】
好ましくは、前記ばねは、前記空洞内の前記装置の方へ引っ張られる。
【００２５】
好ましくは、前記ばねは、前記装置の後方部分及び前記プランジャの後方部分の間で延びる。
【００２６】
好ましくは、前記作動部材は、前記ロッド組立体の部分である。
【００２７】
好ましくは、前記作動部材は、前記ロッドに固定される。
【００２８】
好ましくは、前記台座は、前記台座を前記バレルに密着接続する前方部分を含む。
【００２９】
好ましくは、前記作動部材は、前記軸部を取り囲むスリーブである。
【００３０】
好ましくは、前記台座保持部は、弾性により前記軸に対して外方向に付勢され、且つ、前記軸に対して内方向に動いて前記台座を開放する。
【００３１】
好ましくは、前記台座は、前記軸部が前記台座内へ突き出したときに前記軸部と係合する掛けがねを含む。
【００３２】
好ましくは、前記軸部は、前記掛けがねと係合する広がった前方末端を備える。
【００３３】
好ましくは、前記グリッパ保持部は、前記軸に関して内向きに動かされて前記装置を解放する。
【００３４】
好ましくは、前記グリッパ保持部は、前記バレルと係合して前記軸に関して内向きに動かされる。
【００３５】
好ましくは、前記グリッパ保持部は、前記バレルによって弾性変形されて前記軸に関する内向きに動かされるサークリップである。
【００３６】
好ましくは、前記グリッパ装置は、前記ロッドの内向きに突き出し、前記台座と係合する前方位置と前記台座とともに前記ロッド内に引き戻された位置との間の移動のために前記ロッドにより摺動可能に案内される。
【００３７】
好ましくは、前記ばねは、前記装置の後方部分及び前記ロッドの前方部分の間で延びる。
【発明を実施するための最良の形態】
【００３８】
添付図面の図１乃至１１には、皮下注射器１０が概略的に描かれている。注射器１０は、注射針１２を支持する前方部分１１を含んでいる。注射器１０は、内部に円柱形状のボア１３が設けられたバレル２７を含んでいる。空洞１６を包む中空ロッド１５を含むピストンロッド組立体１４は、摺動可能にボア１３に収容され、且つ、ボア１３に密着接触している。組立体１４はボア１３と協同して注射液を収容する体積が可変のチャンバ１７を包んでいる。チャンバ１７は中空の注射針１２と続いており、チャンバ１７の体積が減少すると注射液が注射針１２の内側を通過して注射される。
【００３９】
組立体１４は、組立体１４をバレル１２に密着接続するようにボア１３と接触するシール１８を含んでいる。後方端１９は、使用者が後方端１９を掴んで組立体１４を移動させてチャンバ１７の体積を変化させることができるように、バレル２７内から外方向に突き出しており、且つ、外方向に向かって広がっている。
【００４０】
バレル１２もまた、使用者が注射器１０を掴みやすいように外方向に向かって広がった後方端２０を備えている。
【００４１】
注射針台座２１は、チャンバ１７の前方端を閉じている。より詳細には、注射針１２は、台座２１からエンドキャップ２３内の通路２２を通って前方に延びるように台座２１に固定されている。エンドキャップ２３は、バレル１２の前方側末端に取りつけられ、台座２１を収容するスリーブ２４を備えている。エンドキャップ２３は、空気が通過可能な通路２５を更に含んでいる。
【００４２】
スリーブ２４は、バレル２７に固定され、前方を向いた隣接面２６を含み、隣接面２６は縦軸２８に対して概半径方向に延びるものである。
【００４３】
台座２１は、注射針１２の内側末端と続く放射状の通路３０を備えた物体２９を含み、ここで通路３０は、チャンバ１７から注射針１２への液の流れを供給するためにチャンバ１７に続いている。物体２７は、その前方端から延びており、且つ、軸２８まわりに一定の角度をおいて配置された弾性を有する複数の指状部３１、を備えている。指状部３１は、台座２１をバレル２７に対して固定されたスリーブ２４内に保持するために面２６と係合するように、弾性により半径方向外向きに付勢されている。指状部３１は、注射器１０の通常の操作の際に台座２１を適当な位置に保持する注射針台座保持部を供給する。
【００４４】
物体２１の前方端に取りつけられたシール軸部３２は、台座２１をキャップ２３に密着接続させるために円筒面３４と係合するシール３３を備え、それゆえチャンバ１７の前方部分を密閉している。
【００４５】
台座物体２９から後方に延びる突出部３５は、頭部３６を備え、そこから軸部３７が延びている。頭部３６は、軸部３７に対して軸２８に関する半径方向に広がっている。
【００４６】
物体２９、指状部３１、突出部３５及び軸部３２は、プラスチック材料から一体的に形成されているため、指状部３１は、半径方向内向きに移動可能なような、且つ、表面２６と係合するために外向きに付勢されるような、弾性変形が可能である。
【００４７】
軸部３７のまわりに位置する「スプリット」リング３８は、弾性を有するプラスチック材料から形成され、内径が頭部３６の外径よりも小さいために、緩和した形状のときは軸部３８に拘束されて保持される。しかしながら、リング３６は、全体の外径が減少するような弾性変形が可能である。
【００４８】
物体２９を取り囲んで物体２９に関して拘束されて配置された作動部材３９は、スリーブ２４の内面と摺動的に接触する外側円筒面を備えた円筒形状であり、後方に向かって半径が次第に減少する内側の傾斜面４０を備え、ここで傾斜面４０は部材３９が前方に移動して指状部３１と摺動的に係合したときに指状部３１が半径方向内向きに弾性的にずらされて表面２６から離れるような楔として部材３９が作用するようなものである。
【００４９】
注目されるように、指状部３７は半径方向の外側面４１を備え、ここで外側面４１は、面４０と協同して指状部３１を内向きにずらすように、軸１８に対して傾斜している。
【００５０】
スリーブ２４は、台形−円錐状の後部傾斜面４２を備えている。面４２は、その縦軸として軸２８を備え、後方に向かって先細になっている。
【００５１】
上記台座２１に関しては、指状部３１の半径方向内向きのずれによってスリーブ２４内から解放可能なことを評価すべきである。物体２９には注射針１２が固定されているから、物体２９が後方に移動すると注射針１２もともに移動する。
【００５２】
組立体１４はグリッパ装置４３を含み、グリッパ装置４３はシール４５を備えた物体４４を含み、シール４５は前方の開口７２を閉じることで空洞１６を閉じ、よって空洞１６は減圧を保持できる。したがって、空洞１６内の圧力は、注射器１０の周囲の雰囲気の圧力よりも低い。物体４４はそこから前方に延びる環状のフランジ４６を備え、フランジ４６は、半径方向内向きに延びるリップ、又は、ネック６３を形成する複数の突出部４７、を末端に備えている。リップ４７又は各突出部には、前方を向くように傾斜した環状傾斜面４８が設けられている。物体４４は、半径方向に延びる概円形の面４９を、概環状の溝５０と同様に備えている。物体４４は、空洞１６内に収容可能となされている。装置４３の直径は、空洞１６を取り囲むロッド１５の円筒面５１の直径より小さい。
【００５３】
指状部４６は、装置４３が移動に関する前方末端にあるときに突出部３５を収容する空洞５２を取り囲んでいる。
【００５４】
リング５４の形態をしたグリッパ保持部５３が装置４３に取りつけられている。リング５４は、溝５０内に突き出した環状の畝５５と、前方に延びる台形−円錐状のフランジ５６とを備えている。
【００５５】
フランジ５６の末端には、半径方向内向きに延びる環状の顎５７が、スリーブ２４の傾斜面４２と協同する傾斜面５８及び顎の後方の傾斜面６２と同様に設けられている。
【００５６】
上述の注射器１０の操作において、装置４３は、リング３８が物体４４に関して拘束されないようにリング３８がリップ４７の前方に間隔を空けて配置された前方位置から動きはじめる。チャンバ１７の体積増加により液がチャンバ１７に吸い込まれるようにロッド１５が後方に移動される。一度、所定の体積の液がシリンジ１０内に保持されたら、チャンバ１７の体積を減少させるためにロッド１５が前方に移動される。注射液はチャンバ１７から通路３０を通って出口へと、中空の注射針１２を、より詳細にはその先端を経由して押し出される。ロッド１５のストロークが完了すると、装置４３が台座２１と係合する結果、台座４１及び物体４４に作用する空気圧により、装置４３及び台座４１が注射針１２とともに空洞１６の中へ引き込まれる。台座２１及び物体４４は注射針１２とともに空洞１６に押し込まれ、注射針１２はもはや露出しない。
【００５７】
より詳細には、ロッド１５が所定の位置を越えて前方に移動すると、突出部３５はネック６３を通って空洞５２に入ることになる。空洞５２内の突出部３５の配置によりリング３８はリップ４７の後に位置決めされるから、突出部３５は空洞５２内に拘束されて位置決めされる。リング３８は、傾斜面４８と摺動的に係合することにより、半径方向に収縮する。これにより、突出部３５は空洞５２内に入ることができるようになる。いったんリップ４７を通過するとリング３８が半径方向に広がり、突出部３５はリング３８によって物体４４に関して拘束されて位置決めされる。物体４４がさらに前方に移動すると、指状部４６は部材３９に接し、それを縦方向前方に摺動させる。部材３９が前方に移動するとき、面４０と面４１が係合することにより指状部３１は面２６から離れるように半径方向内向きに動く。この動作により台座２１が解放され、台座２１は装置４３とともに移動する。その後、装置４３が更に前方に移動すると、面５８とスリーブ２４の面４２との係合により、フランジ５６が半径方向に広がる。フランジ５６が半径方向に広がり続けることにより、畝５５が溝５０内から移動し、装置４３がロッド１５から解放される。
【００５８】
台座２１の解放及び装置４３の解放により、台座２１、装置２３及び注射針１２は空気圧によって空洞１６内に押し込まれる。空気が通路２５を経由してキャップ２３に入ることができるため、台座２１及び装置４３に空気圧が作用する。
【００５９】
リング５４に関しては、リング５４がロッド１５の環状の溝６０と係合する環状の畝５９を備えていることにより、リング５４がロッド１５とともに移動し、装置４３とともに後方に移動しないことを、十分認識すべきである。更に、環状の顎５７がスリーブ２４の環状の顎６１と係合することにより、リング５４は、スリーブ５４に取り付けられ、その結果としてバレル２７に取りつけらて、ロッド１５を注射のストロークが完了したときの最前の位置に保持する。
【００６０】
図１においては、注射器１０は、注射液が容れられたチャンバ１７の体積が最大化されるようにピストンロッドが十分に引き戻された状態が描かれている。その後、注射器１０は、ピストンロッド組立体１４を注射針１２へ向かって移動するために操作される。これにより、注射液が注射針１２を通って押し出される。そのストロークの終わり頃、グリッパ装置１４は図２に示されるように突出部３５と係合する。ピストンロッド組立体１４が更に前方に移動すると、リング３８が図３に示されるように収縮する。ピストンロッド組立体１４は、図４に示されるように、リング３８が広がってグリッパ装置４３に関して拘束されて位置決めされた状態において空洞５２内に納まるまで、更に前進する。ピストンロッド組立体１４が更に前方に移動すると、環状の畝５５が環状の溝５０を離れて装置４３を解放するように、リング５４は面４２と係合する。このことは図５に示されている。顎５７が顎６１の後ろと係合することで、図６に示されるように、ピストンロッド組立体１４は前方位置に拘束される。組立体１４が更に前方に移動すると、図７に示されるように、作動部材３９は前方に摺動して指状部３１を半径方向に引き戻す。図８に示されるように、顎５７と面６２の係合が継続するために台座２１が解放され、台座２１は装置４３とともにピストンロッド１５の中に引き戻される。
【００６１】
図１２乃至１４の実施例において描かれている注射器１０は、先の実施例と同じ参照番号が付されている。しかしながら、この実施例においては、チャンバ１６の内圧を減圧状態に保つ必要がないためにシール４５が存在しないことに読者は注目するだろう。
【００６２】
グリッパ装置４３をそれに取りつけられた台座２１とともに空洞６１内に押し進めるため、キャップ２３に取りつけられた前方端を備えるばね７０が設けられている。より詳細には、キャップ２３は、ばね７０を収容する通路７１を備え、ばね７０は軸部３２の前方面７３に力を作用する圧縮状態で収容される。台座２１及びグリッパ装置４３が解放されると、ばね７０はグリッパ装置４３及びグリッパ装置４３に取りつけられた台座２１を空洞１６内へ推進する。
【００６３】
上述した好適な実施例は、注射のストロークが完了すると、注射針１２がキャップ２３から外方向に出っ張らないように注射器１０の中に引き込まれるという有利な点を有している。それゆえ、注射針を刺すことによる傷害の発生が減少する。ピストンロッド内に注射針を引き込む先の装置と比較した上述の好適な実施例の他の有利な点は、製造の容易性と操作の信頼性です。
【００６４】
上述した好適な実施例の他の有利な点は、注射のストロークが完了したときにピストンロッド１５とその中に収容された注射針１２とがバレル２７内に拘束されて位置決めされることである。
【００６５】
図１８乃至２０の実施例においては、物体１３６は末端に円形のフランジ１５３を備えた軸部１５２から成り、圧縮されたばね１３８がフランジ１５３を押している。軸部１５２の周囲には、以前に言及したシール１４７と同じ働きをするシール１５４が存在する。
【００６６】
この実施例に関する他の側面は、軸部１５２の前方部分とプランジャ１５との間に延びる環状のクリップ１５５の使用である。この環状のクリップ１５５は、傾斜面１５８と係合することで半径方向に広がり、それによってグリッパ装置１３５を解放する。環状のクリップ１５５は、グリッパ装置１３５が解放されたときに顎部分１５７へ固定されるように顎部分１５７と係合する弾性を有する指状部材１５６を備えている。この操作は、図１のシリンジの操作と類似している。この点で環状の掛けがね１５５はグリッパ装置１３５の畝１５８と係合する。
【００６７】
図１５乃至１７の実施例において、注射器１０は、ばね１３８がプランジャ１５のほぼ全長に渡り伸びて張られるように、図１８乃至２０の注射器に対して変更されている。グリッパ装置１３５が解放されると、ばね１３８はグリッパ装置をプランジャ１５の中へ引き戻す。ばね１３８は軸部１５２の後方端とプランジャ１５の基部１５９とに取りつけられている。
【００６８】
添付図面の図２１乃至２６においては、シリンジ１１０の概略が描かれている。シリンジ１１０は、概円柱形状をしたボア１１２を内部に備えたバレル１１１を含んでいる。注射器１１０は、縦軸１１３、前方端１１４及び後方端１１５を備えている。バレル１１１の後方端には、シリンジ１１０を使用するため、操作者に使用される典型的な様式でフランジ１１６が設けられている。
【００６９】
ピストンロッド１１８を含むロッド組立体１１７がバレル１１１の内側に向かって延びている。組立体１１７は、使用者がエンドプラグ１１９によりシリンジ１１０を操作することができるように、バレル１１１の中に配置され、後端１１５から外側へ延びている。ロッド１１８は、組立体１１７と前方端１１７の間のチャンバ１２０を囲むようにボア１１２と摺動可能に係合している。
【００７０】
ボア１１２の前方端を閉じている注射針台座１２１は、前方に突き出た円錐形状のコネクタ１２２を備え、コネクタ１２２は注射針１２４及びコネクタ１２５を含む注射針組立体１２３と係合する。コネクタ１２５は、コネクタ１２２の円錐面１２７と摩擦的に係合する内側円錐面１２６を備えている。
【００７１】
台座１２１は、台座１２１と協同してチャンバ１２０の前方端を閉じるシール２８と摺動可能に係合する。
【００７２】
台座１２１は、注射液が注射針１２４に届けられるために通過する縦方向の通路１２９を備えている。
【００７３】
台座１２１は、後方に延びる概円柱形状をした部分１３０を更に備え、部分１３０は通路１２９を取り囲んで複数の弾性を有する指状部１３１を支持している。指状部１３１の各々は、バレル１１１の環状のリップ１３３と係合する溝１３２を備えている。
【００７４】
部分１３０は、隣接して掛けがねフランジ１３５が配置された穴１３４を複数含み、複数のフランジ１３５は協同で一つの掛けがねを供給する。
【００７５】
上記の弾性を有する指状部１３１は、バレル１１１に離脱可能に取りつけられた台座１２１を保持するために、台座１２１に関する保持手段１５０を供給する。
【００７６】
ロッド１１８は、ロッド１１８の前方開口１５２から延びる空洞１５１を供給するように中空２０であって、グリッパ装置１３５を移動可能に支持する。装置１３５は、ロッド１１８の中に収容された物体１３６を含み、物体１３６はフランジ１３７を含む。ばね１３８はフランジ１３７及びロッド１１８のフランジ１３９に対して圧縮され、そのため物体１３６は矢印１４０の方向に移動するように付勢される。軸部１４１は、物体１３６の前方に突き出ており、その前方端に広がった部分１４２を備えている。軸部１４１は、軸部１４１から突き出た概環状のフランジ１４３も備え、フランジ１４３はグリッパ保持部１４４を正しい位置に保持している。保持部１４４は、一の位置と半径方向に圧縮された位置との間で軸１１３に対する半径方向に圧縮可能な「ｃｉｒｃｌｉｐ」であり、一の位置において装置１３０をロッド１１８の前方端に固定し（図２１乃至２３参照）、半径方向に圧縮された位置において組立体１３５を後方への移動、すなわち矢印１４０の方向への移動のために解放する（図２４参照）。保持部１４４は開口１５３を通過する。
【００７７】
広がった部分１４２は掛けがねフランジ１４５と係合するのに適している。
【００７８】
装置１３５もまた、チャンバ１２０を密閉するように装置１３５をロッド１１８のフランジ１３９に密着接続するシール１４６を含んでいる。
【００７９】
他のシール１４７はロッド１１８をボア１１２に密着接続する。
【００８０】
ロッド１１８に取りつけられ、且つ、ロッド１１８の前方に突き出た作動部１４８は、インクライン傾斜した面１４９を備える概環状のフランジの形態をしている。開口１５３はロッド１１８及び作動部１４８の間に位置している。
【００８１】
上述した注射器１１０の操作においては、組立体１２３が後方に移動されてチャンバ１２０に液が吸い込まれる。液が注射されるとき、組立体１２３が端１１４に向かって前方に移動されてチャンバ１２０の体積が減少する。注射液は、通路１２９を通過し、注射針１２４を経由して最終的に届けられる。
【００８２】
組立体１２３のストロークの終わり近くでは、グリッパ装置１３５が台座１２１と係合する。より詳細には、軸部１４１の広がった部分１４２が、台座１２１に対して固定されるように台座１２１の掛けがねフランジ１４６と係合する。その後、組立体１２３の更に前方への移動により、傾斜面１４９が指状部１３１と係合して指状部１３１を半径方向内向きに動かし、それにより指状部１３１はリップ１３３から解放される。それゆえ、台座１２１は物体１３６とともに自由に移動できるようになる。組立体１２３が更に前方に移動すると、クリップ１４４の傾斜面１４９がバレル１１１の傾斜面１５０と係合するため、クリップ１４４が半径方向に縮む。クリップ１４４が半径方向に十分縮むと、物体１３４はロッド１１８から解放されてばね１３８により後方へ、矢印１４０の方向へ推進される。しかしながら、台座１２１が物体１３６に固定されているため、台座１２１及びそこに取りつけられた注射針１２４は、空洞１５１内に収容されるように、ロッド１１８の中に引き込まれる。
【図面の簡単な説明】
【００８３】
【図１】図１乃至８は、注射器の操作における様々な配置が概略的に描かれた断面側面図である。
【図２】図１乃至８は、注射器の操作における様々な配置が概略的に描かれた断面側面図である。
【図３】図１乃至８は、注射器の操作における様々な配置が概略的に描かれた断面側面図である。
【図４】図１乃至８は、注射器の操作における様々な配置が概略的に描かれた断面側面図である。
【図５】図１乃至８は、注射器の操作における様々な配置が概略的に描かれた断面側面図である。
【図６】図１乃至８は、注射器の操作における様々な配置が概略的に描かれた断面側面図である。
【図７】図１乃至８は、注射器の操作における様々な配置が概略的に描かれた断面側面図である。
【図８】図１乃至８は、注射器の操作における様々な配置が概略的に描かれた断面側面図である。
【図９】図９は、図１の注射器の前方部分の概略断面側面図である。
【図１０】図１０は、図９の前方部分の他の配置における概略断面側面図である。
【図１１】図１１は、図９の前方部分の更に他の配置における概略断面側面図である。
【図１２】図１２は、図１乃至１１の注射器の変形例の概略断面側面図である。
【図１３】図１３は、図１２の注射器の操作における他の位置における概略断面側面図である。
【図１４】図１４は、図１２の注射器の操作における他の配置における概略断面側面図である。
【図１５】図１５乃至１７は、他の皮下注射器の概略断面側面図である。
【図１６】図１５乃至１７は、他の皮下注射器の概略断面側面図である。
【図１７】図１５乃至１７は、他の皮下注射器の概略断面側面図である。
【図１８】図１８乃至２０は、注射器の変形例の概略断面側面図である。
【図１９】図１８乃至２０は、注射器の変形例の概略断面側面図である。
【図２０】図１８乃至２０は、注射器の変形例の概略断面側面図である。
【図２１】図２１乃至２５は、注射器の前方部分の概略断面側面図である。
【図２２】図２１乃至２５は、注射器の前方部分の概略断面側面図である。
【図２３】図２１乃至２５は、注射器の前方部分の概略断面側面図である。
【図２４】図２１乃至２５は、注射器の前方部分の概略断面側面図である。
【図２５】図２１乃至２５は、注射器の前方部分の概略断面側面図である。
【図２６】図２６は、図２１乃至２５の前方部分を有する注射器の部分が、部品が等間隔に配列されて示された概略分解図である。
【図１】
2007514486.tif 000003
【図２】
2007514486.tif 000004
【図３】
2007514486.tif 000005
【図４】
2007514486.tif 000006
【図５】
2007514486.tif 000007
【図６】
2007514486.tif 000008
【図７】
2007514486.tif 000009
【図８】
2007514486.tif 000010
【図９】
2007514486.tif 000011
【図１０】
2007514486.tif 000012
【図１１】
2007514486.tif 000013
【図１２】
2007514486.tif 000014
【図１３】
2007514486.tif 000015
【図１４】
2007514486.tif 000016
【図１５】
2007514486.tif 000017
【図１６】
2007514486.tif 000018
【図１７】
2007514486.tif 000019
【図１８】
2007514486.tif 000020
【図１９】
2007514486.tif 000021
【図２０】
2007514486.tif 000022
【図２１】
2007514486.tif 000023
【図２２】
2007514486.tif 000024
【図２３】
2007514486.tif 000025
【図２４】
2007514486.tif 000026
【図２５】
2007514486.tif 000027
【図２６】
2007514486.tif 000028
【国際調査報告】
2007514486.tif 000029
2007514486.tif 000030
2007514486.tif 000031